(57)【特許請求の範囲】
【請求項１】
採血管を差し込む採血管差込部と、
前記採血管差込部内に配置され前記採血管に備えられているＩＣタグに記憶されている情報を読み取るＩＣタグリーダと、
前記採血管差込部内に配置され、前記ＩＣタグリーダにより読み取った情報を前記採血管の外壁部に可読状態で付する情報可読化部と、
一端に閉部を有し他端に開口部を有する筒状の採血管挿入部と、前記閉部に装着された注射針とを備える採血管外筒と、
前記ＩＣタグに対して情報の送受信を行うためのアンテナと、前記アンテナを前記採血管外筒に装着するために前記採血管外筒の外壁を挟持するクリップを有するアンテナ装着具と、
前記採血管外筒の前記採血管挿入部に前記採血管を挿入した際に、前記採血管外筒に装着された前記アンテナ装着具が有する前記アンテナから前記採血管に備えられた前記ＩＣタグに対して前記情報を送信し前記ＩＣタグに前記情報を書き込むＩＣタグライタと
を備え、
前記注射針の前記採血管挿入部側の端部を前記採血管の蓋部に貫通させることにより血液を採取することを特徴とする採血システム。
【請求項２】
前記情報可読化部は、前記情報をラベルに可読状態で印字するラベルプリンタと、前記ラベルを前記採血管の外壁部に貼り付けるラベル貼り付け部と
を備えることを特徴とする請求項１記載の採血システム。
【請求項３】
前記情報可読化部は、前記採血管の外壁部に前記情報を可読状態で印字するプリンタを備えることを特徴とする請求項１記載の採血システム。
【請求項４】
バーコードに記録されている情報を読み取るバーコードリーダを備え、
前記ＩＣタグライタは、前記バーコードリーダにより読み取られた情報を前記アンテナを介して前記採血管に備えられた前記ＩＣタグに書き込むことを特徴とする請求項１〜３の何れか一項に記載の採血システム。
【請求項５】
血液を採取した各機関において用いられている識別情報を、前記血液の検査を依頼された検査機関において用いられる検査機関用識別情報に変換するための変換パターンを記憶する変換パターンテーブルと、
前記変換パターンテーブルを参照して、前記バーコードリーダにより読み取られた前記識別情報を前記検査機関用識別情報に変換する識別情報変換手段とを更に備え、
前記ＩＣタグライタは、前記識別情報変換手段により変換された前記検査機関用識別情報を前記アンテナを介して前記採血管に備えられた前記ＩＣタグに書き込むことを特徴とする請求項４記載の採血システム。
【発明の詳細な説明】
【技術分野】
【０００１】
本発明は、血液を採取する採血システムに関するものである。
【背景技術】
【０００２】
従来、医療機関においては、患者から採取された血液を試験管等の容器に収容し、検査内容を記載した検査依頼書と共に検査を行う検査機関に搬送していた。そして、検査機関においては、検査依頼書に記載されている検査内容に基づいて検査を行っていた。
【０００３】
ここで、医療機関においては、血液がどの患者から採取されたものであるかを識別するため、血液を採取するための準備として、患者の氏名や、患者毎に付与されている患者ＩＤ等を患者の血液を採取する容器に付していた。例えば、無線タグ付きラベルに、患者の氏名等を記載すると共に、無線タグに患者ＩＤ等を書き込み、当該無線タグ付きラベルを採血前に採血管に貼り付けていた（例えば、特許文献１参照）。
【先行技術文献】
【特許文献】
【０００４】
【特許文献１】特開２００４−３４３７６号公報
【発明の概要】
【発明が解決しようとする課題】
【０００５】
上述のように採血前に予め採血管に患者の氏名を記載したラベルを貼り付ける場合には、採血管を取り違え、患者又は血液の取り違え事故が生じる可能性がある。また血液を採取した後に、採血管に患者氏名や患者ＩＤを直接記載し、又は患者氏名や患者ＩＤを記載したラベルを貼り付ける場合には、患者氏名の記載の誤りや、ラベルを貼り付ける採血管の取り違えにより患者の取り違えや血液の取り違え事故が生じる可能性がある。
【０００６】
本発明の目的は、患者又は血液の取り違えを防止し、採血を行った患者等を確実に識別できる採血システムを提供することである。
【課題を解決するための手段】
【０００７】
この発明の採血システムは、採血管を差し込む採血管差込部と、前記採血管差込部内に配置され前記採血管に備えられているＩＣタグに記憶されている情報を読み取るＩＣタグリーダと、前記採血管差込部内に配置され、前記ＩＣタグリーダにより読み取った情報を前記採血管の外壁部に可読状態で付する情報可読化部とを備えることを特徴とする。
【０００８】
またこの発明の採血システムは、前記情報可読化部は、前記情報をラベルに可読状態で印字するラベルプリンタと、前記ラベルを前記採血管の外壁部に貼り付けるラベル貼り付け部とを備えることを特徴とする。
【０００９】
またこの発明の採血システムは、前記情報可読化部は、前記採血管の外壁部に前記情報を可読状態で印字するプリンタを備えることを特徴とする。
【００１０】
またこの発明の採血システムは、一端に閉部を有し他端に開口部を有する筒状の採血管挿入部と、前記閉部に装着された注射針とを備える採血管外筒と、前記ＩＣタグに対して情報の送受信を行うためのアンテナを筒状の壁部に有し、前記採血管外筒に接続されるアダプタと、前記アダプタが接続された前記採血管外筒の前記採血管挿入部に前記アダプタの前記筒状の壁部の内側に形成された空間を介して前記採血管を挿入した際に、前記アダプタの前記筒状の壁部に備えられた前記アンテナから前記採血管に備えられた前記ＩＣタグに対して前記情報を送信し前記ＩＣタグに前記情報を書き込むＩＣタグライタとを更に備え、前記注射針の前記採血管挿入部側の端部を前記採血管の蓋部に貫通させることにより血液を採取することを特徴とする。
【００１１】
また、この発明の採血システムは、前記アンテナが前記アダプタの前記筒状の壁部に埋め込まれていることを特徴とする。
【００１２】
また、この発明の採血システムは、一端に閉部を有し他端に開口部を有する筒状の採血管挿入部と、前記閉部に装着された注射針とを備える採血管外筒と、前記ＩＣタグに対して情報の送受信を行うためのアンテナを有し、前記採血管外筒に装着されるアンテナ装着具と、前記採血管外筒の前記採血管挿入部に前記採血管を挿入した際に、前記採血管外筒に装着された前記アンテナ装着具が有する前記アンテナから前記採血管に備えられた前記ＩＣタグに対して前記情報を送信し前記ＩＣタグに前記情報を書き込むＩＣタグライタと
を更に備え、前記注射針の前記採血管挿入部側の端部を前記採血管の蓋部に貫通させることにより血液を採取することを特徴とする。
【００１３】
またこの発明の採血システムは、バーコードに記録されている情報を読み取るバーコードリーダを備え、前記ＩＣタグライタは、前記バーコードリーダにより読み取られた情報を前記アンテナを介して前記採血管に備えられた前記ＩＣタグに書き込むことを特徴とする。
【００１４】
またこの発明の採血システムは、血液を採取した各機関において用いられている識別情報を、前記血液の検査を依頼された検査機関において用いられる検査機関用識別情報に変換するための変換パターンを記憶する変換パターンテーブルと、前記変換パターンテーブルを参照して、前記バーコードリーダにより読み取られた前記識別情報を前記検査機関用識別情報に変換する識別情報変換手段とを更に備え、前記ＩＣタグライタは、前記識別情報変換手段により変換された前記検査機関用識別情報を前記アンテナを介して前記採血管に備えられたＩＣタグに書き込むことを特徴とする。
【発明の効果】
【００１５】
本発明によれば、患者又は血液の取り違えを防止し、採血を行った患者等を確実に識別できる採血システムを提供することができる。
【図面の簡単な説明】
【００１６】
【図１】第１の実施の形態に係る採血管の外観構成を示す図である。
【図２】第１の実施の形態に係るＩＣタグの概略構成を示す図である。
【図３】第１の実施の形態に係る採血管外筒とアダプタの外観構成を示す図である。
【図４】第１の実施の形態に係る採血システムのブロック構成図である。
【図５】第１の実施の形態に係る採血システムによる処理を説明するためのフローチャートである。
【図６】第１の実施の形態に係る採血システムによる採血の状態を示す図である。
【図７】第１の実施の形態に係るラベル貼付装置の外観構成を示す図である。
【図８】第１の実施の形態に係るラベル貼付装置のシステム構成を示す図である。
【図９】第１の実施の形態に係るラベル貼付装置によるラベル貼り付け処理を説明するためのフローチャートである。
【図１０】第１の実施の形態に係るラベルを貼り付けた採血管を示す図である。
【図１１】第２の実施の形態に係る採血管外筒の外観構成を示す図である。
【図１２】第２の実施の形態に係るアンテナ装着具の外観構成を示す図である。
【図１３】第２の実施の形態に係るアンテナ装着具を採血管外筒に装着した状態を示す図である。
【図１４】第２の実施の形態に係る採血システムによる採血の状態を示す図である。
【発明を実施するための形態】
【００１７】
以下、図面を参照して第１の実施の形態に係る採血システムについて説明する。図１は第１の実施の形態に係る採血管の一例を示す図である。図１に示すように採血管２は、一端が閉じ他端に開口部を有する円筒状の収容部４と、収容部４内を減圧した状態で開口部を閉じる蓋部６を備えている。また、収容部４の内部には、採取された血液がどの患者から採取されたものであるかを識別するための情報を記録するＩＣタグ８が収容されている。
【００１８】
図２は第１の実施の形態に係るＩＣタグの一例を示す図である。図２に示すようにＩＣタグ８はＩＣタグ本体１２を備え、このＩＣタグ本体１２は、採血管２の収容部４を形成する素材と同一の素材からなるシート１０によりコーティングされている。例えば、採血管２の収容部４が、ポリエステルにより形成されている場合には、ポリエステルからなるシート１０によりＩＣタグ本体１２がコーティングされている。また、収容部４がポリエチレンにより形成されている場合にはポリエチレンからなるシート１０により、ポリプロピレンにより形成されている場合にはポリプロピレンからなるシート１０によりＩＣタグ本体１２がコーティングされている。
【００１９】
また、ＩＣタグ本体１２は、メモリを備えたＩＣチップ（図示せず）を備え、このＩＣチップには、ＩＣタグ８に対して送信された情報の受信を行うと共に、メモリに記録されている情報の送信を行うアンテナ（図示せず）が接続されている。なお、ＩＣタグ本体１２には、非接触で情報の読み取り及び書き込みを行うことができるもの、例えば、ＲＦＩＤ（Ｒａｄｉｏ  Ｆｒｅｑｕｅｎｃｙ  Ｉｄｅｎｔｉｆｉｃａｔｉｏｎ）タグ等が用いられる。
【００２０】
図３は第１の実施の形態に係る採血管外筒及び採血時に採血管外筒に接続されるアダプタの一例を示す図である。図３に示すように、採血管外筒２０は、一端に閉部を有し他端に開口部を有する円筒状の採血管挿入部２２を備えている。採血管挿入部２２の閉部には、注射針２６が装着された注射針装着部２４が設けられており、採血管外筒２０の開口部側には、複数のねじ山２０ａが採血管外筒２０の外壁に螺旋状に形成されている。なお、注射針２６は、注射針２６の一方の端部が注射針装着部２４を貫通して、採血管挿入部２２内に位置するように採血管外筒２０に装着されている。
【００２１】
アダプタ２７は、筒状の壁部を有しており、筒状の壁部の一方の端部側の内壁にねじ山２０ａと螺合する複数のラグ２７ａが形成され、筒状の壁部の他方の端部に採血時に指を掛けるための略円環状のフランジ２７ｂが形成されている。また、アダプタ２７の筒状の壁部の対向する２箇所には、ＩＣタグ８に対して情報の送受信を行うコイル状のアンテナ２８が埋め込まれている。
【００２２】
ここで、アンテナ２８がＩＣタグ８に対して情報の送受信を行うことができる通信可能距離は、一定の範囲に調整されている。即ち、採血管外筒２０にアダプタ２７を接続し、アダプタ２７の筒状の壁部の内側に形成された空間２９を介して採血管挿入部２２に採血管２が挿入された場合に、採血管２の収容部４に収容されているＩＣタグ８に対して情報の送受信を行うことができる程度に通信距離が調整されている。
【００２３】
なお、採血は、採血管外筒２０にアダプタ２７を接続した状態で、採血管外筒２０に装着された注射針２６の採血管外筒の外部側の端部を患者の血管に刺した後、アダプタ２７の筒状の壁部の内側に形成された空間２９を介して採血管挿入部２２に採血管２を挿入することにより行われる。
【００２４】
図４は第１の実施の形態に係る採血システムのブロック構成図である。図４に示すように採血システムはタグ書込装置３０とＩＣタグ８に対して情報の送受信を行うアンテナ２８を備えている。なお、アンテナ２８は、アダプタ２７の筒状の壁部に埋め込まれている（図３参照）。
【００２５】
図４に示すようにタグ書込装置３０は、このタグ書込装置３０におけるデータ制御を行うデータ制御部３２を備えている。このデータ制御部３２には、バーコードに記録されている情報を読み取るバーコードリーダ３４、バーコードリーダ３４を介して読み取られた情報をＩＣタグ８に書き込むＩＣタグライタ３６が接続されている。また、データ制御部３２には、バーコードリーダ３４を介して読み取られた情報等を記憶するデータ記憶部３８及び患者ＩＤ（識別情報）を、検査センタ用ＩＤ（検査機関用識別情報）に変換するためのＩＤ変換パターンを記憶したＩＤ変換テーブル４０が接続されている。
【００２６】
ＩＤ変換テーブル４０には、各医療機関において用いられている患者ＩＤを検査センタにおいて用いられる検査センタ用ＩＤに変換するためのＩＤ変換パターンが記憶されている。即ち、各医療機関においては、採取された血液を識別するための情報として、それぞれの医療機関において用いられている患者ＩＤを用いている。従って、検査を依頼された血液が複数の医療機関から搬入される検査センタにおいては、搬入された血液を適切に管理するために、医療機関において血液を識別するために用いられている患者ＩＤに代えて検査センタにおいて用いられる検査センタ用ＩＤを付与する必要がある。そのため、患者ＩＤを検査センタ用ＩＤに変換するためのＩＤ変換パターンがＩＤ変換テーブル４０に記憶されている。なお、ＩＤ変換テーブル４０に記憶される変換パターンには、医療機関毎に付与されている施設番号及び受付日を患者ＩＤに付加する変換パターン等が含まれている。
【００２７】
次に、図５のフローチャートを参照して第１の実施の形態に係る採血処理について説明する。まず図６に示すように、採血管外筒２０の開口部側にアダプタ２７を接続する。ここで、アダプタ２７の接続は、採血管外筒２０の外壁に形成されたねじ山２０ａに、アダプタ２７の筒状の壁部の内壁に形成されたラグ２７ａを螺合させることによって行われる。
【００２８】
次に、採血管外筒２０にアダプタ２７が接続された状態で、採血管外筒２０に装着された注射針２６の外部側の端部を患者の血管に刺す。そして、バーコードリーダ３４を用いてバーコードに記録されている患者ＩＤを読み取り（ステップＳ１０）、読み取った患者ＩＤをデータ記憶部３８に記憶する（ステップＳ１１）。例えば、採血が行われる患者の手首に、患者を識別するための患者氏名と患者ＩＤを記録したバーコードを付したリストバンドが巻かれている場合には、患者の腕に巻かれているリストバンドに付されたバーコードに記録されている患者氏名と患者ＩＤをバーコードリーダ３４を介して読み取り、データ記憶部３８に記憶する。
【００２９】
次に、患者ＩＤを検査センタ用ＩＤに変換するために、ＩＤ変換テーブル４０に記憶されている変換パターンを参照する（ステップＳ１２）。例えば、医療機関Ａにおいては患者ＩＤとして、Ａ１２３のような４桁のコードを用いており、検査センタ用ＩＤとして、医療機関毎に付与されている施設番号及び血液の受付日を含む１２桁のコードを用いているとする。このような場合には、ＩＤ変換テーブル４０に記憶されている変換パターンの中で、４桁のコードからなる患者ＩＤを１２桁のコードからなる検査センタ用ＩＤに変換する変換パターンを参照する。
【００３０】
次に、ステップＳ１２において参照された変換パターンに基づいて、データ記憶部３８に記憶されている患者ＩＤを検査センタ用ＩＤに変換する（ステップＳ１３）。即ち、参照されたＩＤ変換パターンに基づいて、例えば、医療機関Ａの４桁のコードからなる患者ＩＤに医療機関Ａを表す４桁のコードからなる施設番号及び４桁のコードで表される血液の受付日を付加し、１２桁のコードからなる検査センタ用ＩＤに変換する。
【００３１】
次に、患者氏名とステップＳ１３において変換された検査センタ用ＩＤを、ＩＣタグライタ３６からアンテナ２８を介して送信する（ステップＳ１４）。即ち、アンテナ２８を介してアダプタ２７の筒状の壁部の内側に形成された空間２９に患者氏名と検査センタ用ＩＤのデータの送信を開始し、アダプタ２７が接続された採血管外筒２０の採血管挿入部２２に採血管２が挿入された際に、採血管２の収容部４に収容されているＩＣタグ８に患者氏名と検査センタ用ＩＤを書き込める状態とする。
【００３２】
次に、アダプタ２７の筒状の壁部の内側に形成された空間２９を介して採血管外筒２０の採血管挿入部２２に採血管２を挿入し、患者から血液を採取する。即ち、採血管外筒２０の採血管挿入部２２に、採血管挿入部２２の内部側の注射針２６の端部が蓋部６を貫通するまで採血管２を挿入する。ここで、採血管２の収容部４は、減圧した状態で蓋部６により開口部が閉じられている。従って、採血管挿入部２２の内部側の注射針２６の端部を蓋部６に貫通させることによって、圧力差により患者から血液が採取される。
【００３３】
また、採血を行うためにアダプタ２７が接続された採血管外筒２０の採血管挿入部２２に採血管２が挿入された場合には、患者氏名と変換された検査センタ用ＩＤが採血管２の収容部４に収容されているＩＣタグ８に書き込まれる（ステップＳ１５）。即ち、アンテナ２８の通信可能距離は、採血管外筒２０にアダプタ２７が接続され、アダプタ２７の筒状の壁部の内側に形成された空間２９を介して採血管挿入部２２に採血管２が挿入された場合に、採血管２の収容部４に収容されているＩＣタグ８に対して情報の送受信を行うことができる程度に調整されている。そのため、採血管挿入部２２に採血管２が挿入された際に、アダプタ２７の筒状の壁部に埋め込まれたアンテナ２８を介してＩＣタグ８に対して患者氏名と検査センタ用ＩＤのデータが送信され、検査センタ用ＩＤが書き込まれる。
【００３４】
採血が終了し、ＩＣタグ８に患者氏名と検査センタ用ＩＤが書き込まれると、採血管外筒２０から採血管２が取り外される。採血管外筒２０は、更にアダプタ２７から取り外されて廃棄される。また、アダプタ２７は、次の患者の採血を行う際に用いられる。
【００３５】
図７は、第１の実施の形態に係るラベル貼付装置の外観構成を示す図である。図７に示すようにラベル貼付装置４１は、上面に採血管２を差し込む採血管差込部４２を備えている。図８はラベル貼付装置４１のシステム構成を示す図である。図８に示すようにラベル貼付装置４１は、採血管２にラベルを貼り付ける処理の制御を行う制御部４４を備えている。制御部４４には、採血管検知部４６、ＩＣタグリーダ４８及びラベラー５０が接続されている。
【００３６】
採血管検知部４６は、採血管差込部４２内の底部に設けられたスイッチであり、採血管差込部４２に差し込まれた採血管２により押し下げられた場合に採血管２が差し込まれていることを検知する。ＩＣタグリーダ４８は、採血管２の収容部４に収容されているＩＣタグ８に記憶されている情報を読み取る。
【００３７】
ラベラー５０は、ラベルに患者氏名及び検査センタ用ＩＤ等を可読状態で印字するラベルプリンタ５６及び印字済みのラベルを採血管２に貼り付けるラベル貼付部５８を有している。ラベラー５０は、複数枚のラベルが貼り付けられた台紙を巻いた台紙ロールから台紙を繰り出し搬送する搬送部（不図示）を有し、搬送部によって台紙がラベルプリンタ５６に搬送される。
【００３８】
ラベル貼付部５８は、印字済みのラベルを台紙から剥離するための剥離部（不図示）と、台紙から剥離されたラベルを挟んで採血管２を押し付ける貼付ローラ５８ａを有している。なお、採血管差込部４２内には、採血管２を支持する補助ローラ６０が配置されており、これにより貼付ローラ５８ａが採血管２を押し付ける状態が維持される。
【００３９】
次に、図９のフローチャートを参照して第１の実施の形態に係るラベル貼付装置４１による採血管２にラベルを貼り付ける処理について説明する。採血が終了し採血管外筒２０から取り外された採血管２は、ラベル貼付装置４１の採血管差込部４２に差し込まれる。差し込まれた採血管２によって採血管検知部４６が押し下げられた場合に、採血管が差し込まれたことを検知し（ステップＳ２０）、ＩＣタグリーダ５０によりＩＣタグ８から患者氏名及び検査センタ用ＩＤを読み取る（ステップＳ２１）。
【００４０】
次に読み取った患者氏名及び検査センタ用ＩＤをラベルプリンタ５６によってラベルに可読状態で印字する（ステップＳ２２）。即ち、台紙ロールから台紙を繰り出してラベルプリンタ５６に搬送する。そしてラベルプリンタ５６によって台紙に貼り付けられているラベルに患者氏名及び検査センタ用ＩＤを可読状態で印字する。
【００４１】
次に印字済みのラベル６４（図１０参照）をラベル貼付部５８により採血管２の外壁部に貼り付ける（ステップＳ２３）。具体的には台紙からラベル６４を剥がし、ラベル６４を貼付ローラ５８ａと採血管２との間に挟み、貼付ローラ５８ａを回転させる。この場合に貼付ローラ５８ａが採血管２を補助ローラ６０側に押圧しながら回転する。そして採血管２が貼付ローラ５８ａに従動して回転し、ラベル６４が採血管２の外壁部に沿って貼り付けられる。これにより図１０に示すように、外壁部に印字済みのラベル６４が貼り付けられた採血管２が得られる。
【００４２】
なお、血液が収容された採血管２は、検査の依頼内容を記載した検査依頼書と共に検査センタに搬送される。検査センタにおいては、搬入された血液とその血液の検査依頼内容を記載した検査依頼書とが存在することを確認した後に、受付処理を行い、その後、検査依頼書に記載されている依頼内容に基づいて血液の検査を行う。
【００４３】
この第１の実施の形態に係る採血システムによれば、採血管外筒の採血管挿入部に採血管を挿入した際に、バーコードリーダにより読み取られた情報が採血管の収容部内に備えられたＩＣタグに書き込まれている。従って、採血を行う際に、採取された血液を識別するための情報を、採取された血液が収容される採血管の収容部内に備えられたＩＣタグに書き込むことができ、患者又は血液の取り違え事故を確実に防止することができる。
【００４４】
また、アダプタの壁部に備えられているアンテナは、採血管外筒の採血管挿入部に採血管が挿入された場合に、採血管の収容部内に備えられているＩＣタグに対して情報の送受信が可能となる。そのため、患者から採取される血液を収容する採血管の収容部内に備えられているＩＣタグにのみ、血液を識別するための情報を書き込むことができる。
【００４５】
また、アダプタの筒状の壁部に埋め込まれているアンテナは、採血管外筒の採血管挿入部に採血管が挿入された際に、採血管の収容部に収容されているＩＣタグに対して情報の送受信が可能となるように通信距離が調整されている。従って、採血管外筒の周辺に用意されている採血管のＩＣタグに対しては、情報の送受信が行われることがない。そのため、採血を行うために採血管外筒の採血管挿入部に挿入された採血管のＩＣタグに対してのみ情報の書き込みを行うことができる。
【００４６】
なお、上述の第１の実施の形態においては、アダプタの筒状の壁部にアンテナ２８が埋め込まれているが、アンテナ２８は、壁部に貼り付けるなど他の方法でアダプタに備えられていてもよい。
【００４７】
次に、図面を参照して第２の実施の形態に係る採血システムについて説明する。なお、第２の実施の形態に係る採血管及びＩＣタグの構成は、第１の実施の形態に係る採血管２及びＩＣタグ８の構成と同一である。したがって、第２の実施の形態に係る採血管及びＩＣタグについては、図１に示す採血管２及び図２に示すＩＣタグ８の構成と同一の構成には同一の符号を付し、その説明を省略する。
【００４８】
図１１は第２の実施の形態に係る採血管外筒の一例を示す図である。図１１に示すように、採血管外筒７０は、一端に閉部を有し他端に開口部を有する円筒状の採血管挿入部７２を備えている。採血管挿入部７２の閉部には、注射針７６が装着された注射針装着部７４が設けられている。なお、注射針７６は、注射針７６の一方の端部が注射針装着部７４を貫通して、採血管挿入部７２内に位置するように採血管外筒７０に装着されている。また、採血管外筒７０の開口部側には、採血時に指を掛けるための略円筒状のフランジ７７が形成されている。
【００４９】
図１２は第２の実施の形態に係るアンテナ装着具の一例を示す図である。アンテナ装着具７８は、ＩＣタグ８に対して情報の送受信を行うための図示しないアンテナを有しており、採血管外筒７０に装着される。具体的には、アンテナ装着具７８は、図１２に示すように、クリップにより構成されており、一対のクリップ体８０ａ，８０ｂを備えている。クリップ体８０ａ，８０ｂの一端はＣ字形状であり、クリップ体８０ａ，８０ｂは互いに対向させた状態で軸８２で連結されている。クリップ本体８０ａのＣ字形状部分の内壁部には、ＩＣタグ８に対して情報の送受信を行うコイル状のアンテナ（図示せず）が埋め込まれたアンテナ埋込部８４が取り付けられている。アンテナ装着具７８は、図１３に示すように、一対のクリップ体８０ａ，８０ｂにより採血管外筒７０の外壁を挟持することによって採血管外筒７０に装着される。
【００５０】
ここで、アンテナ埋込部８４に埋め込まれている図示しないアンテナがＩＣタグ８に対して情報の送受信を行うことができる通信可能距離は、一定の範囲に調整されている。即ち、採血管外筒７０にアンテナ装着具７８が装着され、採血管外筒７０の採血管挿入部７２に採血管２が挿入された場合に、採血管２の収容部４に収容されているＩＣタグ８に対して情報の送受信を行うことができる程度に通信距離が調整されている。
【００５１】
なお、第２の実施の形態に係る採血システムについては、第１の実施の形態に係る採血システム（図４参照）の構成と同一の構成を有しているため、第１の実施の形態に係る採血システムと同一の構成には同一の符号を付し、その説明を省略する。
【００５２】
次に、第２の実施の形態に係る採血処理について説明する。まず図１３に示すように、採血管外筒７０にアンテナ装着具７８を装着する。即ち、アンテナ装着具７８の採血管外筒７０への装着は、一対のクリップ体８０ａ，８０ｂにより採血管外筒７０の外壁を挟持させることによって行う。
【００５３】
次に、採血管外筒２０に装着された注射針７６の外部側の端部を患者の血管に刺した後、図５のフローチャートに示すステップＳ１０〜Ｓ１３の処理と同一の処理を行う。図５のフローチャートに示すステップＳ１３の処理を終えた後、患者氏名とステップＳ１３において変換された検査センタ用ＩＤを、ＩＣタグライタ３６からアンテナ装着具７８に取り付けられている図示しないアンテナを介して送信する。即ち、アンテナ装着具７８に取り付けられている図示しないアンテナを介して採血管外筒７０の採血管挿入部７２に患者氏名と検査センタ用ＩＤのデータの送信を開始し、採血管外筒７０の採血管挿入部７２に採血管２が挿入された際に、採血管２の収容部４に収容されているＩＣタグ８に患者氏名と検査センタ用ＩＤを書き込める状態とする。
【００５４】
次に、図１４に示すように、採血管外筒７０の採血管挿入部７２に、採血管挿入部７２の内部側の注射針７６の端部が蓋部６を貫通するまで採血管２を挿入する。また、患者氏名と変換された検査センタ用ＩＤが採血管２の収容部４に収容されているＩＣタグ８に書き込まれる。即ち、採血管挿入部７２に採血管２が挿入された際に、アンテナ装着具７８に取り付けられている図示しないアンテナを介してＩＣタグ８に対して患者氏名と検査センタ用ＩＤのデータが送信され、検査センタ用ＩＤが書き込まれる。
【００５５】
採血が終了し、ＩＣタグ８に患者氏名と検査センタ用ＩＤが書き込まれると、採血管外筒７０から採血管３が取り外される。更に、採血管外筒７０からアンテナ装着具７８が取り外され、採血管外筒７０は、破棄される。アンテナ装着具７８は、次の患者の採血を行う際に用いられる。
【００５６】
なお、第２の実施の形態に係るラベル貼付装置については、第１の実施の形態に係るラベル貼付装置４１（図７参照）の構成と同一の構成を有しているため、その説明を省略する。また、第２の実施の形態に係るラベル貼り付け処理についても、第１の実施の形態に係るラベル貼り付け処理（図９参照）と同一の処理であるため、その説明を省略する。
【００５７】
この第２の実施の形態に係る採血システムによれば、採血管外筒の採血管挿入部に採血管を挿入した際に、バーコードリーダにより読み取られた情報が採血管の収容部内に備えられたＩＣタグに書き込まれている。従って、採血を行う際に、採取された血液を識別するための情報を、採取された血液が収容される採血管の収容部内に備えられたＩＣタグに書き込むことができ、患者又は血液の取り違え事故を確実に防止することができる。
【００５８】
また、アンテナ装着具に取り付けられているアンテナは、採血管外筒の採血管挿入部に採血管が挿入された場合に、採血管の収容部内に備えられているＩＣタグに対して情報の送受信が可能となる。そのため、患者から採取される血液を収容する採血管の収容部内に備えられているＩＣタグにのみ、血液を識別するための情報を書き込むことができる。
【００５９】
また、アンテナ装着具に取り付けられているアンテナは、採血管外筒の採血管挿入部に採血管が挿入された際に、採血管の収容部に収容されているＩＣタグに対して情報の送受信が可能となるように通信距離が調整されている。従って、採血管外筒の周辺に用意されている採血管のＩＣタグに対しては、情報の送受信が行われることがない。そのため、採血を行うために採血管外筒の採血管挿入部に挿入された採血管のＩＣタグに対してのみ情報の書き込みを行うことができる。
【００６０】
また、第２の実施の形態によれば、採血管外筒とアンテナ装着具とが別体により構成されている。したがって、衛生管理等の目的から採血管外筒を一度のみの使用で破棄する場合においても、アンテナ装着具を採血管外筒から取り外し再使用することによりアンテナを再使用することができる。
【００６１】
また、第１及び第２の実施の形態によれば、採血が終了した採血管２をラベル貼付装置４１に差し込んだ場合に、ラベル貼付装置４１内において、採血管２の収容部４内に備えられているＩＣタグ８から読み取った患者氏名をラベルに印字し、印字済みのラベルを採血管２に貼り付けている。従って、採血を行った患者の血液が収容されている採血管２に、その患者の氏名を印字したラベルを確実に貼り付けることができるので、患者又は採取された血液の取り違え事故等を適切に防止することができる。また可読状態で患者氏名を印字したラベルを採血管２に貼り付けているため、採血管２内の血液がどの患者から採取した血液であるかを確実に識別することができ、更に採血を行った患者を確実に識別することができる。
【００６２】
また、第１及び第２の実施の形態によれば、採血を行なっている患者のリストバンド等から読み取られた患者ＩＤを変換した検査センタ用ＩＤが、採血管の収容部に収容されているＩＣタグに書き込まれている。従って、血液を採取された患者を識別するための情報を記録したＩＣタグが、採取された血液と共に採血管の収容部に収容されているため、患者又は採取された血液の取り違え事故等を適切に防止することができる。
【００６３】
また、第１及び第２の実施の形態によれば、採血管の収容部に収容されているＩＣタグが、採血管の収容部を形成している素材と同一の素材によりコーティングされている。そのため、血液の性状に影響を与えることがなく、従来の検査体制を変更せずに容易にこの実施の形態に係る採血システムを導入することができる。
【００６４】
また、第１及び第２の実施の形態によれば、各医療機関において患者に付されている患者ＩＤを検査センタ用ＩＤに変換してＩＣタグに書き込んでいる。従って、血液を搬入された検査センタにおいては、ＩＣタグを用いて迅速、かつ、容易に血液の管理を行うことができる。
【００６５】
また、血液を採取する機関において用いられる識別情報を検査機関において用いられる検査機関識別情報に変換し、採血管の収容部内に備えられているＩＣタグに書き込んでいる。従って、検査機関においては、複数の機関から血液が搬入された場合であっても、統一的な検査機関識別情報に基づいて迅速、かつ、容易に血液の管理を行うことができる。
【００６６】
なお、上述の第２の実施の形態においては、クリップにより構成されるアンテナ装着具７８を例に挙げて説明したが、クリップ以外のアンテナ装着具、例えば嵌め込み型や貼り付け型のアンテナ装着具であってもよい。
【００６７】
また、上述の各実施の形態においては、ラベラー５０を用いて患者氏名及び検査センタ用ＩＤを印字したラベルを採血管２に貼り付けているが、ラベラー５０の代わりにインクジェットプリンタを備えて、採血管２の外壁部に患者氏名及び検査センタ用ＩＤを可読状態で印字するようにしてもよい。
【００６８】
また、上述の各実施の形態において、採血管２にラベルを貼り付ける前に、ＩＣタグリーダ４８により読み取った患者氏名を、患者に確認させるようにしてもよい。例えば音声出力部と入力部とを更に備え、ＩＣタグリーダ４８によって読み取った患者氏名を音声出力部により音声で出力する。そして患者に出力された音声を確認させ入力部によって患者氏名を確認した旨を入力した場合に、患者氏名及び検査センタ用ＩＤをラベルに印字し、印字済みのラベルを採血管２に貼り付けるようにしてもよい。
【００６９】
また、上述の各実施の形態においては、採血管検知部４６を採血管差込部４２内の底部に設けられたスイッチとしているが、スイッチに限らず、発光部と受光部とを有するフォトセンサーであってもよい。採血管検知部４６が透過型のフォトセンサーの場合には、発光部から受光部に向かって進行する光が採血管２により遮られたときに採血管２を検知する。
【００７０】
また、上述の各実施の形態に係る採血システムにおいては、バーコードに記録されている患者ＩＤをバーコードリーダを介して読み取り、検査センタ用ＩＤに変換してＩＣタグに書き込んでいるが、その他の情報を更にＩＣタグに書き込むようにしてもよい。例えば、タグ書込装置が通信を制御する通信制御部を更に備え、医療機関内に設置されている医療機関システムから送信される検査の依頼内容を示す検査依頼情報を受信し、受信した検査依頼情報をＩＣタグに書き込むようにしてもよい。この場合には、検査依頼書に記載される内容がＩＣタグに書き込まれているため、血液と検査依頼書とを一体として検査センタに搬送することができる。
【００７１】
また、上述の各実施の形態に係る採血システムにおいては、患者のリストバンド等から読み取られた患者ＩＤを変換した検査センタ用ＩＤをＩＣタグに書き込んでいるが、血液の検査内容が記載された検査依頼書のＩＤをＩＣタグに書き込むようにしてもよい。例えば、検査依頼書に、検査依頼書を識別するための検査依頼書ＩＤを記録したバーコードが付されている場合には、バーコードリーダを介して検査依頼書に付されたバーコードに記録されている検査依頼書ＩＤを読み取り、ＩＣタグに書き込むようにしてもよい。
【００７２】
また、上述の各実施の形態においては、採血管のＩＣタグを採血管を形成する素材と同一の素材でコーティングしているが、同一の素材に限らず、採血管に収容される血液の性状に影響を与えない素材、例えば、ＰＥＴ（ｐｏｌｙｅｔｈｙｌｅｎｅ  ｔｅｒｅｐｈｔｈａｌａｔｅ）等によりＩＣタグをコーティングするようにしてもよい。
【００７３】
また、上述の各実施の形態において、ＩＣタグ８を採血管２の収容部４の壁部に貼り付けてもよく、必ずしも収容部４の内部にＩＣタグ８を収容する必要はない。
【符号の説明】
【００７４】
２…採血管、４…収容部、６…蓋部、８…ＩＣタグ、１０…シート、１２…ＩＣタグ本体、２０，７０…採血管外筒、２０ａ…ねじ山、２２，７２…採血管挿入部、２４，７４…注射針装着部、２６，７６…注射針、２７…アダプタ、２７ａ…ラグ、２７ｂ，７７…フランジ、２８…アンテナ、３０…タグ書込装置、３２…データ制御部、３４…バーコードリーダ、３６…ＩＣタグライタ、３８…データ記憶部、４０…ＩＤ変換テーブル、４１…ラベル貼付装置、４２…採血管差込部、４４…制御部、４６…採血管検知部、４８…ＩＣタグリーダ、５０…ラベラー、５６…ラベルプリンタ、５８…ラベル貼付部、６０…補助ローラ、７８…アンテナ装着具、８０ａ，８０ｂ…クリップ体、８４…アンテナ埋込部。
【図１】
0006621366.tif 000002
【図２】
0006621366.tif 000003
【図３】
0006621366.tif 000004
【図４】
0006621366.tif 000005
【図５】
0006621366.tif 000006
【図６】
0006621366.tif 000007
【図７】
0006621366.tif 000008
【図８】
0006621366.tif 000009
【図９】
0006621366.tif 000010
【図１０】
0006621366.tif 000011
【図１１】
0006621366.tif 000012
【図１２】
0006621366.tif 000013
【図１３】
0006621366.tif 000014
【図１４】
0006621366.tif 000015